(57)【要約】      （修正有）【課題】容器サイズの異なる複数種の冷却された飲料容器に対応できる飲料容器用の保冷具を提供する。【解決手段】飲料容器用の保冷具１は、布材とプラスチック材との２層構造の四角形状の基材を用い、外周部を逢着して飲料容器２１の容器壁全体領域における容器壁縦方向の一部領域を残して被う外被材３と、外被材３における対向するプラスチック材同士を部分的に圧着することにより散在する状態に形成した部分圧着部１６と、外被材３に内蔵した保冷剤とを有する保冷具本体２と、外被材３における一部領域両側を占める両辺部に対して両辺部が逢着され前記一部領域外側を被う伸縮性を有するゴム材、伸縮性布材等からなる被着補助材とを有し、保冷具本体２、被着補助材を内容物が冷却された飲料容器２１の容器壁に被せて保冷剤により内容物の保冷を行うとともに、被着補助材の伸縮により容器サイズの異なる飲料容器２１に被着可能な構成とした。【選択図】図１
2014142102.tif 000002
【特許請求の範囲】
【請求項１】
飲料容器の容器壁全体領域における容器壁縦方向の一部領域を残して被う形状とした外被材と、前記外被材に内蔵した保冷剤と、を有する保冷具本体と、
前記外被材における一部領域両側を占める両辺部に連結され前記一部領域外側を被う伸縮性を有する被着補助材と、
を有し、
前記保冷具本体、被着補助材を内容物が冷却された飲料容器の容器壁に被せて前記保冷剤により前記内容物の保冷を行うとともに、前記被着補助材の伸縮により容器サイズの異なる飲料容器に被着可能としたことを特徴とする飲料容器用の保冷具。
【請求項２】
布材とプラスチック材との２層構造の四角形状の基材を前記プラスチック材が対向するように重ね合わせ、外周部を逢着して飲料容器の容器壁全体領域における容器壁縦方向の一部領域を残して被う四角形袋帯状とした外被材と、前記外被材における対向するプラスチック材同士を部分的に圧着することにより散在する状態に形成した部分圧着部と、前記外被材に内蔵した保冷剤と、を有する保冷具本体と、
前記外被材における一部領域両側を占める両辺部に対して両辺部が逢着され前記一部領域外側を被う伸縮性を有するゴム材、伸縮性布材等からなる被着補助材と、
を有し、
前記保冷具本体、被着補助材を内容物が冷却された飲料容器の容器壁に被せて前記保冷剤により前記内容物の保冷を行うとともに、前記ゴム材、伸縮性布材等からなる被着補助材の伸縮により容器サイズの異なる飲料容器に被着可能としたことを特徴とする飲料容器用の保冷具。
【請求項３】
布材とプラスチック材との２層構造の四角形状で、飲料容器の容器壁におけるこの飲料容器の開口蓋片に近い位置に対応する配置で凹部を形成した四角形状の基材を前記プラスチック材が対向するように重ね合わせ、外周部をヘム縫い加工により逢着して飲料容器の容器壁全体領域における容器壁縦方向の一部領域を残して被う四角形袋帯状とした外被材と、前記外被材における対向するプラスチック材同士を部分的に圧着することによりこの外被材の面領域に散在する状態に形成した部分圧着部と、前記外被材に内蔵した保冷剤と、を有する保冷具本体と、
前記外被材における一部領域両側を占める両辺部に対して両辺部が逢着され前記一部領域外側を被う伸縮性を有するゴム材、伸縮性布材等からなる被着補助材と、
を有し、
前記保冷具本体、被着補助材を内容物が冷却された飲料容器の容器壁に、前記凹部が飲料容器の開口蓋片に近い位置に臨むように被せて、前記保冷剤により前記内容物の保冷を行うとともに、前記ゴム材、伸縮性布材等からなる被着補助材の伸縮により容器サイズの異なる飲料容器に被着可能としたことを特徴とする飲料容器用の保冷具。
【請求項４】
布材とプラスチック材との２層構造の四角形状で、飲料容器の容器壁におけるこの飲料容器の開口蓋片に近い位置に対応する配置で凹部を形成した四角形状の基材を前記プラスチック材が対向するように重ね合わせて、外周部をヘム縫い加工により逢着して飲料容器の容器壁全体領域における容器壁縦方向の一部領域を残して被う四角形袋帯状とした外被材と、前記外被材における対向するプラスチック材同士を部分的に圧着することによりこの外被材の面領域に散在する状態に形成した部分圧着部と、水と、モノマーと、架橋剤と、開始剤とを主成分とするモノマー溶液を加熱固化してジェルとし前記外被材に内蔵した保冷剤と、を有する保冷具本体と、
前記外被材における一部領域両側を占める両辺部に対して両辺部が逢着され前記一部領域外側を被う伸縮性を有するゴム材、伸縮性布材等からなる被着補助材と、
を有し、
前記保冷具本体、被着補助材を内容物が冷却された飲料容器の容器壁に、前記凹部が飲料容器の開口蓋片に近い位置に臨むように被せて、前記保冷剤により前記内容物の保冷を行うとともに、前記ゴム材、伸縮性布材等からなる被着補助材の伸縮によってジュース缶、コーヒー缶、３５０ｍｌや５００ｍｌのビール缶、ペットボトル等の容器サイズの異なる飲料容器に被着可能としたことを特徴とする飲料容器用の保冷具。
【発明の詳細な説明】
【技術分野】
【０００１】
本発明は、優れた保冷性能を発揮し、保冷剤が漏れ出ることもなく、容器サイズの異なる複数種の冷却された飲料容器にも柔軟に対応できる飲料容器用の保冷具に関するものである。
【背景技術】
【０００２】
冷たいジュース缶やビール缶等のような内容物が冷却された飲料容器を、例えばキャンプ場等のような屋外で開封して飲む場合に、開封前はクーラーボックスに入れたり、氷水等に浸けて冷却したりすることが可能であるが、開封後においてはクーラーボックスに入れると缶が倒れジュースやビールがクーラーボックス内にこぼれて面倒なことになる。
【０００３】
また、ビール等のように氷を直接入れて冷やす習慣のない飲料や、氷を入れると味が希薄となってしまう飲料の場合には、氷を入れての冷却は好ましくない。
【０００４】
一方、家庭内で冷却したビール缶等を開封して冷たいビール等を飲む場合、一気に飲み干さず時間をかけてゆっくり楽しむことも多く、このような場合には時間の経過ととともにビール等の温度が上昇し味覚が損なわれてしまう。
【０００５】
特許文献１には、上述したような冷たいビール等を入れたビール缶等の保冷を目的として、円を含む多面体に対応できるように、或いは保冷剤の偏りをなくすために、或いは二つ折り、三つ折りにして家庭用冷蔵庫で冷凍できるように保冷剤と保冷剤の間を数カ所幅を持って仕切り、その保冷剤の右端と左端をゴム等の伸縮性のあるもので繋いで全体を筒状に構成した急速冷却剤（急速冷却具）が提案されている。
【０００６】
特許文献２には、アイスボックス等で利用する保冷剤自体をカップ状の本体とし、事前に本体全体を冷凍庫で凍結することにより、保冷剤（高吸水性ポリマー、増粘剤等）が入っている部分の保冷効果により、飲んでいるコップ等、缶ビール等を装着することにより、飲みながらにして簡易に保冷するように構成した保冷用のコースターが提案されている。
【０００７】
特許文献１の急速冷却剤、特許文献２のコースターは、いずれも保冷剤が露出している構造であり、時間経過とともに溶け出した保冷剤成分の一部が缶壁に付着する惧れがあり、保冷剤の成分によっては健康上好ましくない影響が生じるものと推定される。
【０００８】
また、特許文献２のコースターの場合、その形状が一定で容器サイズの異なる複数種の飲料容器に対しては個別に対応するサイズのコースターを用意する必要がある。
【先行技術文献】
【特許文献】
【０００９】
【特許文献１】登録実用新案第３０９４２８６号公報
【特許文献２】登録実用新案第３１３２４８０号公報
【発明の概要】
【発明が解決しようとする課題】
【００１０】
本発明が解決しようとする問題点は、優れた保冷性能を発揮するとともに、保冷剤が漏れ出し飲料容器の壁面等に付着するようなこともなく繰り返し安全に使用でき、更に、容器サイズの異なる複数種の冷却された飲料容器にも柔軟に対応できるような飲料容器用の保冷具が存在しない点である。
【課題を解決するための手段】
【００１１】
本発明に係る飲料容器用の保冷具は、飲料容器の容器壁全体領域における容器壁縦方向の一部領域を残して被う形状とした外被材と、前記外被材に内蔵した保冷剤と、を有する保冷具本体と、前記外被材における一部領域両側を占める両辺部に連結され前記一部領域外側を被う伸縮性を有する被着補助材と、を有し、前記保冷具本体、被着補助材を内容物が冷却された飲料容器の容器壁に被せて前記保冷剤により前記内容物の保冷を行うとともに、前記被着補助材の伸縮により容器サイズの異なる飲料容器に被着可能としたことを最も主要な特徴とする
【発明の効果】
【００１２】
請求項１記載の発明によれば、飲料容器の内容物に対する優れた保冷性能を発揮するとともに、保冷剤が漏れ出し飲料容器の壁面等に付着するようなこともなく繰り返し安全に使用でき、更に、容器サイズの異なる複数種の冷却された飲料容器にも柔軟に対応できる飲料容器用の保冷具を実現し提供することができる。
【００１３】
請求項２記載の発明によれば、布材とプラスチック材との２層構造の四角形状の基材を重ね合わせて外周部を逢着することにより形成した外被材、外被材に散在する状態に形成した部分圧着部、及び、外被材に内蔵した保冷剤を有する保冷具本体と、この保冷具本体に逢着したゴム材、伸縮性布材等からなる被着補助材とにより円筒状に構成した構成とし、飲料容器に被着することによって、飲料容器の内容物に対する優れた保冷性能を発揮するとともに、保冷剤が漏れ出し飲料容器の壁面等に付着するようなこともなく繰り返し安全に使用でき、更に、容器サイズの異なる複数種の冷却された飲料容器にも柔軟に対応できる飲料容器用の保冷具を実現し提供することができる。
【００１４】
請求項３記載の発明によれば、請求項２記載の発明と同様な構成とし、更に、保冷具本体の外周にヘム部を設け、かつ、一部に凹部を設けた構成として、請求項２記載の発明と同様な効果を奏するとともに、保冷具自体の使用寿命の長期化と、飲料容器内の飲料の飲みやすさの確保を実現できる飲料容器用の保冷具を実現し提供することができる。
【００１５】
請求項４記載の発明によれば、請求項２、３記載の発明と同様な構成とし、かつ、保冷剤を水と、モノマーと、架橋剤と、開始剤とを主成分とするモノマー溶液を加熱固化して流動性の無いジェルとした構成の基に、請求項３記載の発明と同様な効果を奏し、更に一個の保冷具によって、ジュース缶、コーヒー缶、３５０ｍｌや５００ｍｌのビール缶、ペットボトル等の容器サイズの異なる各飲料容器に対応させることができ、また、流動性の無い保冷剤を内蔵していることから全体としてある程度の硬さがあり、飲む者が握り易い等の効果を発揮する飲料容器用の保冷具を実現し提供することができる。
【図面の簡単な説明】
【００１６】
【図１】図１は本発明の実施例に係る飲料容器用の保冷具を飲料容器に被着した状態を正面側から見た概略斜視図である。
【図２】図２は本実施例に係る飲料容器用の保冷具を飲料容器に被着した状態を背面側から見た概略斜視図である。
【図３】図３は本実施例に係る飲料容器用の保冷具を飲料容器に被着した状態を斜め上方から見た概略斜視図である。
【図４】図４は本実施例に係る飲料容器用の保冷具を畳んだ状態を示す概略斜視図である。
【図５】図５は本実施例に係る飲料容器用の保冷具の概略展開図である。
【図６】図６は本実施例に係る飲料容器用の保冷具を構成する保冷具本体の部分拡大断面図である。
【図７】図７は本実施例に係る飲料容器用の保冷具の製造工程を示すフローチャートである。
【図８】図８は本実施例に係る飲料容器用の保冷具の底面に落下防止具を設置した状態を示す保冷具の底面図である。
【発明を実施するための形態】
【００１７】
本発明は、優れた保冷性能を発揮するとともに、保冷剤が漏れ出し飲料容器の壁面等に付着するようなこともなく繰り返し安全に使用でき、更に容器サイズの異なる複数種の冷却された飲料容器にも柔軟に対応できる飲料容器用の保冷具を提供するという目的を、布材とプラスチック材との２層構造の四角形状の基材を前記プラスチック材が対向するように重ね合わせ、外周部を逢着して飲料容器の容器壁全体領域における容器壁縦方向の一部領域を残して被う四角形袋帯状とした外被材と、前記外被材における対向するプラスチック材同士を部分的に圧着することにより散在する状態に形成した部分圧着部と、前記外被材に内蔵した保冷剤と、を有する保冷具本体と、前記外被材における一部領域両側を占める両辺部に対して両辺部が逢着され前記一部領域外側を被う伸縮性を有するゴム材、伸縮性布材等からなる被着補助材と、を有し、前記保冷具本体、被着補助材を内容物が冷却された飲料容器の容器壁に被せて前記保冷剤により前記内容物の保冷を行うとともに、前記ゴム材、伸縮性布材等からなる被着補助材の伸縮により容器サイズの異なる飲料容器に被着可能とした構成により実現した。
【実施例】
【００１８】
以下、本発明の実施例に係る飲料容器用の保冷具について図面を参照して詳細に説明する。
【００１９】
本実施例に係る飲料容器２１用の保冷具１は、図１乃至図５に示すように、布材１２とプラスチック材１３との２層構造の四角形状で、例えばビール缶のような円柱状の飲料容器２１の容器壁におけるこの飲料容器２１の開口蓋片２２に近い位置に対応する配置で凹部１４を形成した四角形状の２枚の基材１１、１１を前記プラスチック材１３が対向するように重ね合わせ、全体の外周部をヘム縫い加工により逢着してヘム部１５とするとともに、前記飲料容器２１の容器壁全体領域における容器壁縦方向の一部領域を残して被う四角形袋帯状とした外被材３と、前記外被材３における対向するプラスチック材１３同士を例えば高周波圧着加工により部分的に、かつ、直線状に圧着してこの外被材３の面領域に例えば所定間隔を隔て４箇所散在する状態に形成した部分圧着部１６と、前記外被材３に内蔵した保冷剤１７と、を有する保冷具本体２と、前記外被材３における一部領域両側を占める辺部３ａ、３ａに対して両側の辺部１８ａ、１８ａが逢着され前記一部領域外側を被う伸縮性を有するゴム材、伸縮性布材等からなる被着補助材１８と、を有している。
なお、本発明においては、前記保冷具１を飲料容器２１に被着した状態を示す図１のような状態において飲料容器２１が保冷具１内から落下しないためのものとして、保冷具１を飲料容器２１に被着した状態において、保冷具１の底面となる例えば中心部分の位置に、保冷具１を被着した飲料容器２１の中心部分を底面から支持するような状態で、図８に示すように、例えば適当な幅を有するベルト状の適当な落下防止具３０を外被材３或いはヘム部１５に張架、設置するようにして実施しても良い。
【００２０】
前記部分圧着部１６の形状、形成箇所、形成個数は上述した例に限定されるものではなく、前記保冷具１の全体サイズの大小などに応じて種々の変形が可能である。
なお、前記保冷具１自体の全体サイズは、前記飲料容器２１用の場合よりも大きく形成して、例えば弁当箱等々の外側にかぶせるように取り付けるように実施しても良い。
【００２１】
そして、前記保冷具本体２、被着補助材１８を内容物が冷却された飲料容器２１の容器壁外周に、前記凹部１４が飲料容器２１の開口蓋片２２に近い位置に臨むように被せて、前記保冷剤１７により前記内容物の保冷を行うとともに、前記ゴム材、伸縮性布材等からなる被着補助材１８の伸縮により容器サイズの異なる飲料容器２１に対する被着が可能なように構成している。
【００２２】
前記布材１２は、例えば、綿布、化繊布等又は綿繊維と化繊の混紡布のなかから選定する。前記化繊布とはナイロンタフタなどである。
【００２３】
前記プラスチック材１３は、ＰＶＣ、ＰＥ、ＰＵ又はＴＰＵ材料などのなかから選定する。通常プラスチック材１３の厚さは０．０５ｍｍから０．４５ｍｍの範囲の寸法に設定する。
【００２４】
前記保冷剤１７は、薄片状のジェルで、その厚さは例えば０．８ｍｍから５ｍｍの範囲の寸法に設定する。
【００２５】
次に、本実施例に係る飲料容器２１用の保冷具１の製造方法について、図６、図７を参照して詳述する。
【００２６】
Ａ、材料の準備：保冷具１の外形寸法及び材料要件に基づいて布材１２とプラスチック材１３との２層構造からなる基材１１を選定し、上辺の中央部に凹部１４を具備する所定寸法の四角形状に裁断して保冷具１用の２枚の基材１１を得る。
【００２７】
前記基材１１の裁断前または裁断後、加熱器の出力の大きさと生産効率に基づいて加熱温度１００℃〜２００℃の間、加熱時間５秒〜３０秒の間にてこの基材１１を加熱することもできる。
【００２８】
例えば、加熱温度１５０℃、加熱時間１５秒で基材１１を前収縮させると、平坦で外観が良好な形態とすることができる。
【００２９】
Ｂ、製袋・部分圧着部の形成：前記２枚の基材１１におけるプラスチック材１３、１３の片面同士を対向する配置として重ね合わせ、注入口のみを残して周囲をヘム縫い加工により逢着しヘム部１５を形成して注入口以外が密閉された袋帯状の外被材３とする。
なお、本実施例において、上記「注入口のみを残して周囲を逢着」する場合における当該「ヘム縫い加工」とは、縁取り生地を縫い付けるような種態の加工の他、いわゆる圧着加工のような場合も含む。
上記縁取り生地を縫い付けるヘム縫い加工の場合、保冷剤１７であるジェルを熱で固めた後、後記Ｅで述べるように、被着補助材１８の逢着（壁面のゴム縫い付け）と同時期に当該ヘム縫い加工を行う。
【００３０】
また、例えば高周波溶着加工により対向するプラスチック材１３、１３の表面を部分的に溶解させ外被材３の面領域に４箇所散在する状態に部分圧着部１６を形成する。
【００３１】
Ｃ、モノマー溶液流し込み：水と、モノマーと、架橋剤と、開始剤と、更に顔料及び／または香料を加えてもよく、これらを混合してモノマー溶液とし、注入口から外被材３内に流し込む。流し込むときに空気が外被材３内に入った場合は必ず空気を排出する。
次に、前記注入口をヘム縫い加工により逢着し、閉塞してモノマー溶液を内蔵した保冷具本体２を形成する。
【００３２】
前記モノマーとは、アクリル酸とそのアルカリ金属塩、メタクリル酸とその金属塩、及び（メチル）アクリル酸生成のエステル類の中の１種類または数種類などのポリアクリル酸系高吸水性樹脂の製造に用いる水溶性モノマー、若しくはアクリルアミド、メタアクリルアミドなどのポリアクリルアミド系高吸水性樹脂の製造に用いるモノマー、若しくは以上の２種類のモノマーの組合せを指す。
【００３３】
前記架橋剤とは、ジビニルまたはトリビニル化合物、不飽和モノカルボン酸または多価カルボン酸と多価アルコールなどからなるポリアルコール、ジアクリルアミド、多価アルコールのジエーテルまたはポリエーテルなどの非共役二重結合をもつ化合物、若しくはアルカリ土金属化合物、亜鉛化物、鉄化物、アルミニウム化物などの多価金属化合物、若しくはアクリル酸グリシジルエステル、エチレングリコール、エチレンジアミン、エチレングリオキサール、フェニル酢酸などの化合物を指す。
【００３４】
前記開始剤は過酸化物またはアゾ類化合物などの熱分解体系、若しくは過酸化水素、イソプロピルベンゼン過酸化水素、過硫酸アンモニウム、過硫酸カリウムなどの酸化還元体系のグループと、Ｆ２＋、亜硫酸塩、チオ硫酸塩、一（多）価アミン、スルフィン酸類ヒドラジンなどのグループとの２グループ間の任意な組合せを有し、硝酸セリウムアンモニウム、三塩化鉄、五価アルミナ塩などの若干の金属化合物があってもよい。
【００３５】
前記水、モノマー、架橋剤、開始剤の間の重量比は水６０％〜８０％、モノマー１０％〜３０％、架橋剤０．１％〜６％、開始剤０．１％〜６％である。
【００３６】
Ｄ、加熱固化：モノマー溶液を流し込んだ前記保冷具本体２を加熱器の上に平らに置いて、通常加熱温度５０℃〜８０℃の間で加熱し、モノマー溶液が外被材３内で完全に重合反応し薄片状のポリマー、すなわち、保冷剤１７であるジェルを生成させると保冷具本体２の製造が完了する。
【００３７】
前記加熱器は、必要に応じて温度を３０℃〜１００℃間で調節可能な２層または多層ヒートパネルを空気圧または油圧により昇降自在に押圧する設備である。前記保冷具本体２はヒートパネルの間に挟んで加熱、加圧される。
【００３８】
Ｅ、被着補助材逢着：保冷具本体２の両辺部に、四角形状に形成した伸縮性を有するゴム材、伸縮性布材等からなる被着補助材１８の両辺部を逢着し、全体として円筒状を呈する飲料容器２１用の保冷具１を製造する。
【００３９】
Ｆ、検査及び包装：飲料容器２１用の保冷具１の加工品質を検査し、検査に合格した製品を包装して製品とする。
【００４０】
本実施例に係る飲料容器２１用の保冷具１によれば、冷却したビール缶、ジュース缶等の飲料容器２１の外周に保冷具本体２及び被着補助材１８を被せることにより、保冷剤１７が外部からの熱を吸収し、飲料容器２１内の内容物（冷却されたビール、ジュース、コーヒー等の飲料）の温度上昇を抑え、長時間にわたって当該内容物本来の味覚を維持することが可能となり、冷却した缶ジュースや缶ビールを時間をかけてゆっくり飲む場合や高温期に屋外で飲む場合に最適となる。
【００４１】
すなわち、前記保冷剤１７は有機物を重合反応によって得られたコロイドであり、そのうち、保冷剤の成分の約７０％が水であり、水に近い高い熱容量を有することから、本実施例に係る飲料容器２１用の保冷具１は非常に良い吸熱性能を発揮するものである。
【００４２】
また、前記保冷剤１７は水のような流動性がなく、安定使用でき、たとえ外被材３が尖ったものに突き破られたり、小さく破裂したりしても漏れることがなく、これにより、保冷具１の使用寿命を大幅に延長可能になる。
【００４３】
本実施例に係る飲料容器２１用の保冷具１によれば、保冷剤１７は外被材３内に密閉状態で内蔵されているので、保冷剤１７が漏れ出し飲料容器２１の壁面等に付着するようなこともなく繰り返し安全に使用できる。
【００４４】
更に、被着補助材１８の伸縮により保冷具１による飲料容器２１の収容容積を大小に変更することができ、一個の保冷具１のみで、例えばジュース缶、コーヒー缶、３５０ｍｌや５００ｍｌのビール缶、ペットボトル等、容器サイズの異なる各種の飲料容器２１に柔軟に対応しつつこれらのいずれかに被着させてそれぞれ保冷することが可能となる。
【００４５】
本実施例に係る飲料容器２１用の保冷具１によれば、保冷具本体２に散在状態で部分圧着部１６を設けているので、保冷具本体２が曲がり易くなり、缶壁の曲面にも対応し易く、被着補助材１８の縮み力と相俟って保冷具本体２の飲料容器２１の缶壁に対する密着性が良好となり、優れた保冷効果を発揮させることができ、また、図４に示すように平坦な状態に折り畳むこと容易であり、更には使用時の通気にも便利である。
【００４６】
また、外被材３の上辺の一部に凹部１４を設けているので、飲料容器２１がビール缶等である場合、開口蓋片２２側の缶壁の一部が他の部分より大きく露出することになり、飲む者の口元を外被材３に邪魔されることなく開口蓋片２２を開口した状態の飲み口２３に臨ませることができる。
【００４７】
更に、本実施例の飲料容器２１用の保冷具１は、流動性の無い保冷剤１７を内蔵していることから全体としてある程度の硬さがあり、飲む者が握り易いという利点や、前記保冷具１自体を事前に冷却しておくことにより飲料容器２１に対する冷却効果を高めることもできるという利点、更には、保冷具本体２の外周部にヘム部１５を設けたことにより外周部がほつれにくくこの点からも使用寿命を大幅に延長できる等、種々の利点も存する。
【００４８】
なお、流動性の大きい保冷剤を内蔵した保冷具の場合、使用しているうちに保冷剤が重力で下降し（偏在し）、保冷剤による冷却作用が及びない箇所が増え、冷却効果が低下する場合も生じるが、本実施例の飲料容器２１用の保冷具１の場合、流動性のない保冷剤１７を内蔵しているため、保冷剤１７の偏在が無くなり、保冷剤１７が存在する領域全体にわたって飲料容器２１に対する本来の冷却効果を維持できる。
【産業上の利用可能性】
【００４９】
本発明の保冷具は、各種飲料容器の保冷用として好適に利用することができる他、保冷具１自体の全体サイズを前記飲料容器２１用の保冷具１よりも大きく形成して、弁当箱の外側にかぶせるように取り付けるように実施しても良く、また、外出時において冷却して食すると美味なるぶどう等の果物用、低温に維持することが必要なアイスクリーム等の食物等用の簡易な保冷具、すなわち、食物を容器に入れて持ち運ぶ際の保冷具として広範に応用可能である。
【符号の説明】
【００５０】
１    保冷具
２    保冷具本体
３    外被材
３ａ  辺部
１１    基材
１２    布材
１３    プラスチック材
１４    凹部
１５    ヘム部
１６    部分圧着部
１７    保冷剤
１８    被着補助材
１８ａ  辺部
２１    飲料容器
２２    開口蓋片
２３    飲み口
【図１】
2014142102.tif 000003
【図２】
2014142102.tif 000004
【図３】
2014142102.tif 000005
【図４】
2014142102.tif 000006
【図５】
2014142102.tif 000007
【図６】
2014142102.tif 000008
【図７】
2014142102.tif 000009
【図８】
2014142102.tif 000010